【手続補正書】
【提出日】平成23年2月2日(2011.2.2)
【手続補正１】
【補正対象書類名】特許請求の範囲
【補正対象項目名】全文
【補正方法】変更
【補正の内容】
【特許請求の範囲】
【請求項１】
透明な第１の電極に対して、電気泳動表示媒体を介して、第２及び第３の電極がそれぞれ対向して配置されている複数の電気泳動表示素子を有する電気泳動表示装置であって、
前記電気泳動表示媒体は、中空構造体中に、光学特性及び帯電特性が異なる３種類の分散性粒子を溶媒中に分散した電気泳動液を内包し、
前記３種類の分散性粒子は、電荷がない第１の分散性粒子と、電荷が正の電気泳動粒子である第２の分散性粒子と、電荷が負の電気泳動粒子である第３の分散性粒子とからなり、
前記複数の電気泳動表示素子における第１の電極は、同一面上に配置され、
隣接する前記電気泳動表示素子における電気泳動表示媒体は、少なくとも一つの分散性粒子の光学特性が異なる前記電気泳動液を内包していることを特徴とする電気泳動表示装置。
【請求項２】
前記電気泳動表示媒体は、白色、黒色及びイエローの分散性粒子を含む電気泳動液、白色、黒色及びマゼンタの分散性粒子を含む電気泳動液、並びに白色、黒色及びシアンの分散性粒子を含む電気泳動液をそれぞれ内包することを特徴とする請求項１に記載の電気泳動表示装置。
【請求項３】
前記第１の分散性粒子が白色であり、第２の分散性粒子がイエロー、マゼンタ又はシアンであり、第３の分散性粒子が黒色であることを特徴とする請求項１又は２に記載の電気泳動表示装置。
【請求項４】
前記第１の分散性粒子が白色であり、第２の分散性粒子が黒色であり、第３の分散性粒子がイエロー、マゼンタ又はシアンであることを特徴とする請求項１又は２に記載の電気泳動表示装置。
【請求項５】
前記白色の分散性粒子はポリマー粒子であることを特徴とする請求項２〜４のいずれか一項に記載の電気泳動表示装置。
【請求項６】
それぞれの前記電気泳動表示素子が正方格子状又は六方最密状に配列されていることを特徴とする請求項１〜４のいずれか一項に記載の電気泳動表示装置。
【請求項７】
請求項１〜６のいずれか一項に記載の電気泳動表示装置において、第１の電極と第２及び／又は第３の電極との間に電圧を印加して、第２又は第３の電気泳動粒子を電気泳動表示媒体中の第１の電極側に集積させることにより、第１の電極側に集積した電気泳動粒子を透明電極を介して観察可能とすることを特徴とする表示方法。
【請求項８】
請求項１〜６のいずれか一項に記載の電気泳動表示装置において、第２の電極と第３の電極との間に電圧を印加して、第２及び第３の電気泳動粒子を電気泳動表示媒体中の第２及び第３の電極側に集積させることにより、電気泳動表示媒体中に分散している第１の電気泳動粒子を透明電極を介して観察可能とすることを特徴とする表示方法。
【請求項９】
溶媒中に、それぞれ光学特性が異なり、第１の分散性粒子は電荷がなく、第２の分散性粒子は電荷が正の電気泳動粒子であり、第３の分散性粒子は電荷が負の電気泳動粒子である３種類の分散性粒子を分散して電気泳動液とする工程と、
絶縁体の基板上に対になる一組の電極を隔離して配置する工程と、
前記一組の電極を配置した基板表面に、一組の電極が同じ開口から露出するようにフォトレジストで開口を有するシートを形成する工程と、
前記シートを形成した基板表面のシートの開口部分に前記電気泳動液を充填する工程と、
前記電気泳動液を充填したシートの開口部分の表面を被覆する工程と、
前記シートの開口部分を被覆した基板の表面に、透明電極を配置する工程と
を有することを特徴とする電気泳動表示素子の製造方法。
【請求項１０】
溶媒中に、それぞれ光学特性が異なり、第１の分散性粒子は電荷がなく、第２の分散性粒子は電荷が正の電気泳動粒子であり、第３の分散性粒子は電荷が負の電気泳動粒子である３種類の分散性粒子を分散して電気泳動液とする工程と、
前記電気泳動液をマイクロカプセルに封入して電気泳動媒体とする工程と、
絶縁体の基板上に対になる一組の電極を隔離して配置する工程と、
前記電極を配置した基板表面を一組の電極が同じ開口から露出するように開口を有するシートで被覆する工程と、
前記シートで被覆した基板表面のシートの開口部分に前記マイクロカプセルを充填する工程と、
前記マイクロカプセルを充填した基板の表面に透明電極を配置する工程と
を有することを特徴とする電気泳動表示素子の製造方法。
【請求項１１】
溶媒中に、それぞれ光学特性が異なり、第１の分散性粒子は電荷がなく、第２の分散性粒子は電荷が正の電気泳動粒子であり、第３の分散性粒子は電荷が負の電気泳動粒子である３種類の分散性粒子を分散して電気泳動液とする工程と、
絶縁体の基板上に複数の対になる電極を隔離して配置する工程と、
前記電極を配置した基板表面に、対になる電極ごとにそれぞれ同じ開口から露出するようにフォトレジストで開口を有するシートを形成する工程と、
前記シートを形成した基板表面のシートの開口部分に前記電気泳動液を充填する工程と、
前記電気泳動液を充填したシートの開口部分の表面を被覆する工程と、
前記シートの開口部分を被覆した基板の表面に透明電極を配置する工程と
を有することを特徴とする電気泳動表示装置の製造方法。
【請求項１２】
溶媒中に、それぞれ光学特性が異なり、第１の分散性粒子は電荷がなく、第２の分散性粒子は電荷が正の電気泳動粒子であり、第３の分散性粒子は電荷が負の電気泳動粒子である３種類の分散性粒子を分散して電気泳動液とする工程と、
前記電気泳動液をマイクロカプセルに封入して電気泳動媒体とする工程と、
絶縁体の基板上に複数の対になる電極を隔離して配置する工程と、
前記電極を配置した基板表面を対になる電極ごとに、それぞれシートの同じ開口から露出するように複数の開口を有するシートで被覆する工程と、
前記シートで被覆した基板表面のシートの開口部分に前記マイクロカプセルを充填する工程と、
前記マイクロカプセルを充填した基板の表面に透明電極を配置する工程と
を有することを特徴とする電気泳動表示装置の製造方法。
【請求項１３】
溶媒中に、それぞれ光学特性が異なり、第１の分散性粒子は電荷がなく、第２の分散性粒子は電荷が正の電気泳動粒子であり、第３の分散性粒子は電荷が負の電気泳動粒子である３種類の分散性粒子を分散して電気泳動液とし、この電気泳動液をマイクロカプセルに封入して第１の電気泳動媒体を得る第１の工程と、
絶縁体の基板上に複数の対になる電極を隔離して配置する第２の工程と、
前記電極を配置した基板表面の一部の電極を、対になる電極ごとにそれぞれシートの同じ開口から露出するように複数の開口を有する第１のシートで被覆する第３の工程と、
第１のシートで被覆した基板表面の第１のシートの開口部分に第１の電気泳動媒体を充填する第４の工程と、
第１の電気泳動媒体を充填した基板表面から第１のシートを剥離する第５の工程と、
第１の工程において、前記第１乃至第３の分散性粒子のいずれか一つを、それらのいずれとも光学特性が異なる分散性粒子で置換して第２の電気泳動媒体を得る第６の工程と、
第１のシートを剥離した基板表面の第１の電気泳動媒体を配置されていない一部の電極を、対になる電極ごとにそれぞれシートの同じ開口から露出するように複数の開口を有する第２のシートで被覆する第７の工程と、
第２のシートで被覆した基板表面の第２のシートの開口部分に第２の電気泳動媒体を充填する第８の工程と、
第２の電気泳動媒体を充填した基板表面から第２のシートを剥離する第９の工程と、
第２の電気泳動媒体を充填した基板の表面に透明電極を配置する第１０の工程と
を有することを特徴とする電気泳動表示装置の製造方法。
【手続補正２】
【補正対象書類名】明細書
【補正対象項目名】発明の名称
【補正方法】変更
【補正の内容】
【発明の名称】電気泳動表示装置、表示方法、電気泳動表示素子の製造方法、及び電気泳動表示装置の製造方法
【手続補正３】
【補正対象書類名】明細書
【補正対象項目名】００１２
【補正方法】変更
【補正の内容】
【００１２】
上記課題を解決するため本発明者等は、以下の発明を完成した。
本発明は、溶媒中に光学特性及び帯電特性が異なる３種類の分散性粒子が分散した電気泳動液であって、第１の分散性粒子は電荷がなく、第２の分散性粒子は電荷が正の電気泳動粒子であり、第３の分散性粒子は電荷が負の電気泳動粒子であることを特徴とする電気泳動液を含む。
【手続補正４】
【補正対象書類名】明細書
【補正対象項目名】００１３
【補正方法】変更
【補正の内容】
【００１３】
本発明は、中空構造体中に前記電気泳動液を内包する電気泳動表示媒体を含む。
【手続補正５】
【補正対象書類名】明細書
【補正対象項目名】００１４
【補正方法】変更
【補正の内容】
【００１４】
本発明は、透明な第１の電極に対して、前記電気泳動表示媒体を介して、第２及び第３の電極が対向して配置されていることを特徴とする電気泳動表示素子を含む。
【手続補正６】
【補正対象書類名】明細書
【補正対象項目名】００１５
【補正方法】変更
【補正の内容】
【００１５】
本発明は、複数の前記電気泳動表示素子が、それぞれの第１の電極が同一方向に面して配置されていることを特徴とする電気泳動表示装置である。
そして、本発明は、隣接する前記電気泳動表示素子における電気泳動表示媒体が、少なくとも一つの分散性粒子の光学特性が異なる電気泳動液を内包していることを特徴とする前記電気泳動表示装置である。
【手続補正７】
【補正対象書類名】明細書
【補正対象項目名】００１７
【補正方法】削除
【補正の内容】